(57)【要約】【課題】中皿や化粧皿を収納するためのスペースを容器本体内に広く確保することができると同時に、これら中皿等の脱着操作性も高めることができるパレット式化粧料容器を提供する。【解決手段】容器本体３に設けられた軸部１２と、容器本体の周壁１１内方にこれに沿って軸部周りに回転自在に設けられ、内部にその回転方向に配列して複数の交換皿８が収納される環状の皿枠７と、皿枠の内周縁に形成され、交換皿の一端を係脱自在に係止する係止鍔部２５と、皿枠の外周縁と交換皿の他端との間に設けられ、これらを係脱自在に係合する係合手段２７と、容器本体の周壁に、皿枠の回転方向の適宜箇所に位置させて設けられ、各交換皿に設けられる皿枠からの離脱用操作部であるフランジ部２６に対する操作を許容する凹溝３２とを備えた。【選択図】          図４
2004154285.tif 000002
【特許請求の範囲】
【請求項１】
容器本体の周壁内方に複数の交換皿を交換可能に収納するようにしたパレット式化粧料容器において、
上記容器本体に設けられた軸部と、上記容器本体の周壁内方にこれに沿って上記軸部周りに回転自在に設けられ、内部にその回転方向に配列して上記複数の交換皿が収納される環状の皿枠と、該皿枠の内周縁に形成され、上記交換皿の一端を係脱自在に係止する係止部と、上記皿枠の外周縁と上記交換皿の他端との間に設けられ、これらを係脱自在に係合する係合手段と、上記容器本体の周壁に、皿枠の回転方向の適宜箇所に位置させて設けられ、各交換皿に設けられる上記皿枠からの離脱用操作部に対する操作を許容する交換操作許容部とを備えたことを特徴とするパレット式化粧料容器。
【請求項２】
前記容器本体には、各交換皿の前記離脱用操作部に対する操作を阻止する交換操作阻止部が設けられていることを特徴とする請求項１に記載のパレット式化粧料容器。
【請求項３】
前記容器本体には、これを開閉する蓋体を回動自在に連結するヒンジが設けられ、前記交換操作許容部が上記ヒンジに位置させて設けられていることを特徴とする請求項１または２に記載のパレット式化粧料容器。
【請求項４】
前記容器本体と前記皿枠との間には、該皿枠の回転位置を割り出す割り出し手段が設けられていることを特徴とする請求項１〜３いずれかの項に記載のパレット式化粧料容器。
【請求項５】
前記皿枠には、前記交換皿の該皿枠への装着位置を位置決めする位置決め手段が設けられていることを特徴とする請求項１〜４いずれかの項に記載のパレット式化粧料容器。
【発明の詳細な説明】
【０００１】
【発明の属する技術分野】
本発明は、中皿や化粧皿を収納するためのスペースを容器本体内に広く確保することができると同時に、これら中皿等の脱着操作性も高めることができるパレット式化粧料容器に関する。
【０００２】
【従来の技術】
従来、容器本体の周壁内方に複数の交換皿を交換可能に収納するようにしたパレット式化粧料容器としては、容器本体の底板に複数個の透孔を穿設するとともに、当該容器本体の底部に空所を形成し、空所内には、透孔に下方から密嵌し得る複数個の押栓を昇降自在に配設し、周壁で取り囲まれた容器本体の開口側内部には、交換皿である中皿を配設し、さらに中皿の底部に、透孔に上方から密嵌し得る脚を突出形成したものが知られている（例えば、特許文献１参照）。
【０００３】
そして、中皿を容器本体内に取り付ける際には、予め決定してある中皿の配置に従って、各中皿の脚を透孔に密嵌して押栓を下方位置に降下させることにより、中皿を容器本体内に固定する一方で、中皿を容器本体から取り外す際には、取り外したい中皿の脚が嵌合している透孔の下方に位置する押栓を、指で押し上げることにより、中皿の脚を透孔から上方に抜き、これによって中皿を取り出すことができるようにしていた。
【０００４】
また、この種のパレット式化粧料容器として、容器本体の周壁のうち、その前後方向のフック部側に位置する前部内側壁と、ヒンジ側に位置する後部内側壁との中間位置に、隔壁を設けるとともに、前部内側壁側に隔壁と平行に仕切り板を設け、隔壁と仕切り板間および後部内側壁間に、交換皿である化粧皿を着脱自在に設けるようにしたものも知られている（例えば、特許文献２参照）。
【０００５】
このパレット式化粧料容器では、仕切り板および後部内側壁は、化粧皿の外側面の上端付近を広く露出させて指などを掛けることができるように低く形成され、特に容器本体内部となる仕切り板と前部内側壁との間には、化粧皿に指を掛けるスペースを確保する目的も兼ねて、化粧具を収納する空間を形成するようにしていた。そして、化粧皿を容器本体に装着する際には、化粧皿を隔壁と仕切り板間および後部内側壁間に押し込んで係合させる一方、化粧皿を取り外す際には、上記空間やヒンジ側の空間を利用して、仕切り板および後部内側壁から露出している箇所に指を掛けて化粧皿を押圧操作することにより、係合を解除するようにしていた。
【０００６】
【特許文献１】
実公昭５８−９５３９号公報
【特許文献２】
特開２０００−１１４号公報
【０００７】
【発明が解決しようとする課題】
ところで、上記従来のパレット式化粧料容器にあっては、中皿や化粧皿を収納するためのスペースを容器本体内に広く確保しようとすると、これら中皿等の脱着操作性が低下し、他方、その操作性を高めようとすると、容器本体内のスペースに無駄が生じるという課題があった。
【０００８】
すなわち、前者の特許文献１は、容器本体の底部から操作して中皿を交換するタイプであることから、周壁で取り囲まれた容器本体内に隙間なく中皿を装着することができ、容器本体内スペースを無駄なく中皿の収納に利用できる一方で、取り外す際には容器本体の底部を探って操作しなければならず、不便であった。
【０００９】
他方、後者の特許文献２は、容器本体の上方から操作して化粧皿を交換するタイプであることから、交換操作がきわめて容易である反面、容器本体内に収納されているすべての化粧皿に対する交換操作性を良好なものとするために、化粧皿に対する手がかりを与えるスペースを容器本体内に設けておく必要があり、この結果、化粧皿を収納するためのスペースが狭められてしまっていた。
【００１０】
本発明は上記従来の課題に鑑みて創案されたものであって、中皿や化粧皿を収納するためのスペースを容器本体内に広く確保することができると同時に、これら中皿等の脱着操作性も高めることができるパレット式化粧料容器を提供することを目的とする。
【００１１】
【課題を解決するための手段】
本発明にかかるパレット式化粧料容器は、容器本体の周壁内方に複数の交換皿を交換可能に収納するようにしたパレット式化粧料容器において、上記容器本体に設けられた軸部と、上記容器本体の周壁内方にこれに沿って上記軸部周りに回転自在に設けられ、内部にその回転方向に配列して上記複数の交換皿が収納される環状の皿枠と、該皿枠の内周縁に形成され、上記交換皿の一端を係脱自在に係止する係止部と、上記皿枠の外周縁と上記交換皿の他端との間に設けられ、これらを係脱自在に係合する係合手段と、上記容器本体の周壁に、皿枠の回転方向の適宜箇所に位置させて設けられ、各交換皿に設けられる上記皿枠からの離脱用操作部に対する操作を許容する交換操作許容部とを備えたことを特徴とする。
【００１２】
交換皿は、皿枠の内部に収納され、皿枠を回転させて交換操作許容部に移動させた後、その離脱用操作部を操作することによって容器本体から取り外すことが可能で、この際、容器本体の周壁に設けた交換操作許容部を利用して交換皿の取り出し操作を行うことができて脱着操作性を高めることが可能であると同時に、交換皿を皿枠の回転で移動させることにより、複数の交換皿を収納しながら、交換操作許容部以外に、交換皿の離脱用操作部を操作するためのスペースを確保する必要がなくなって、交換皿を収納するためのスペースを容器本体内に広く確保することが可能となる。
【００１３】
また、前記容器本体には、各交換皿の前記離脱用操作部に対する操作を阻止する交換操作阻止部が設けられていることを特徴とする。これにより、交換皿が不意に脱落することなどを防止して、容器本体内に安定的に保持することが可能となる。
【００１４】
また、前記容器本体には、これを開閉する蓋体を回動自在に連結するヒンジが設けられ、前記交換操作許容部が上記ヒンジに位置させて設けられていることを特徴とする。これにより、蓋体を閉じれば交換操作許容部を隠蔽することができ、容器本体の外観を維持することが可能となる。
【００１５】
さらに、前記容器本体と前記皿枠との間には、該皿枠の回転位置を割り出す割り出し手段が設けられていることを特徴とする。これにより、交換皿を適切に交換操作許容部に位置させて保持することができ、安定して脱着操作を行うことが可能となる。
【００１６】
また、前記皿枠には、該交換皿の該皿枠への装着位置を位置決めする位置決め手段が設けられていることを特徴とする。これにより、交換皿が皿枠内で不必要に動くことを防止でき、交換皿の装着操作などの円滑化を図り得る。
【００１７】
【発明の実施の形態】
以下に、本発明にかかるパレット式化粧料容器の好適な一実施形態を、添付図面を参照して詳細に説明する。本実施形態にかかるパレット式化粧料容器１は図１〜図９に示すように、収納凹部２が内部に形成された皿状の合成樹脂製容器本体３と、容器本体３の前後方向後端にヒンジ４を介して回動自在に連結されて容器本体３を開閉するとともに、容器本体３の前端にフック５を介して係脱自在に係合されて当該容器本体３の閉止状態を維持する蓋体６と、容器本体３の収納凹部２に設けられる皿状の合成樹脂製皿枠７と、皿枠７内に交換可能に収納され、化粧料Ｐが充填されたり、化粧具入れとして用いられる複数の交換皿８とから主に構成される。蓋体６の裏面には鏡９が設けられている。
【００１８】
容器本体３は、底板１０と、底板１０の外周縁部分にこれと一体的に上方へ立ち上げて形成された環状の周壁１１とから主に構成される。周壁１１の内周面は、平面円形状に形成される。そして収納凹部２は、これら底板１０と周壁１１とにより、相当の深さで平面円形状に区画形成される。容器本体３には、平面円形状の収納凹部２の中心位置に底板１０より上方へ立ち上げて、中空筒体状の軸部１２が一体的に形成される。
【００１９】
また、周壁１１には、容器本体３の前端位置に凹所１３が形成されるとともに、この凹所１３内には、蓋体６の前端から垂下されるフック片１４に係脱自在に係合するフック用突起１５が形成され、これらフック用突起１５とフック片１４とによってフック５が構成される。さらに周壁１１には、容器本体３の後端位置に凹部１６が形成され、この凹部１６内に蓋体６の後端から垂下されるヒンジ片１７が挿入され、かつ容器本体３の左右方向に周壁１１からヒンジ片１７に向かって形成されたピン穴１８にヒンジピン１９が挿入されることで、ヒンジ４が構成される。
【００２０】
他方、皿枠７は主に、平面円環状の底部２０と、底部２０の外周縁にこれと一体的に上方へ立ち上げて形成された円形状の環状壁部２１と、底部２０の内周縁にこれと一体的に立ち上げて形成された中空筒体状のボス部２２とから環状に構成される。これにより皿枠７には、ボス部２２と環状壁部２１との間に円環状の収納部２３が形成される。そして皿枠７は、そのボス部２２が容器本体３の軸部１２に挿入されつつ収納凹部２に装着されることにより、容器本体３の周壁１１内方にこれに沿って軸部１２周りに回転自在に設けられる。
【００２１】
容器本体３の周壁１１内面にはその周方向に沿って、収納凹部２に装着された皿枠７の上端を係止して保持するための環状突起２４が形成される。さらに、皿枠７の内周縁に立ち上げたボス部２２の上端には、これより径方向外方へ張り出して、交換皿８の一端を係脱自在に係止する係止部となる円形の係止鍔部２５が一体的に形成される。
【００２２】
皿枠７内部に収納される複数の交換皿８はそれぞれ図５に示すように、収納部２３の円環状の平面外形輪郭をその周方向に適宜な整数倍で分割、例えば２分割、４分割、８分割などに分割することによって得られる扇形状に形成され、その先細りの内縁８ａがボス部２２周りに揃えられ、末広がりの外縁８ｂが環状壁部２１、ひいては容器本体３の周壁１１に沿って揃えられて、皿枠７の内部にその回転方向に配列して収納される。
【００２３】
図１には、すべて化粧料Ｐが充填された４つの８分割された交換皿８と、２つの４分割された交換皿８の収納状態が例示され、図２には、化粧料Ｐが充填された４つの８分割された交換皿８と、化粧具入れとされる１つの２分割された交換皿８の収納状態が例示されている。
【００２４】
特に、交換皿８の上端には、その周方向に沿って外方へ張り出してフランジ部２６が形成され、内縁８ａのフランジ部２６は係止鍔部２５下のボス部２２周囲に当接され、外縁８ｂのフランジ部２６は環状壁部２１を越えて周壁１１上に重ね合わせて載せられ、また側縁８ｃのフランジ部２６は、隣接する交換皿８の側縁８ｃのフランジ部２６と互いに突き当てられるようになっている。そして、交換皿８の一端である内縁８ａのフランジ部２６が係止鍔部２５直下に上下方向へ係脱自在に係止されるようになっている。
【００２５】
また、皿枠７の外周縁に立ち上げた環状壁部２１と交換皿８の他端である外縁８ｂとの間には、これらを上下方向へ係脱自在に係合する係合手段２７が設けられる。この係合手段２７は図５および図６に示すように、交換皿８の外縁８ｂに、フランジ部２６下に位置させて環状壁部２１の周方向に相当の長さで形成された係合凹部２８と、環状壁部２１にその周方向に沿って等間隔で、例えば交換皿８が上記８分割の寸法であれば８箇所に、当該環状壁部２１上端から下方に向かう左右一対の縦スリット２９によって皿枠７の径方向へ弾性変形自在に形成され、かつその上端に係合凹部２８と係合する係合凸部３０が形成された弾性係合片３１とから構成される。
【００２６】
これら係合凹部２８と弾性係合片３１からなる係合手段２７と、係止鍔部２５で構成した係止部とは図７に示すように、内縁８ａのフランジ部２６を係止鍔部２５下に差し込んで係止させながら、交換皿８を押し下げて係合凹部２８を弾性係合片３１の係合凸部３０に係合させることで、交換皿８の皿枠７内への収納状態を保持し、他方、外縁８ｂのフランジ部２６を押し上げて弾性係合片３１から係合凹部２８を離脱させながら、内縁８ａのフランジ部２６を係止鍔部２５下から抜き出すことで、交換皿８の皿枠７内からの取り外しを可能としていて、特に、各交換皿８の外縁８ｂのフランジ部２６は、皿枠７からの離脱用操作部として機能される。
【００２７】
さらに、容器本体３の周壁１１には、特に図４および図６に示すように皿枠７の回転方向の適宜箇所、本実施形態にあっては容器本体３後端に位置するヒンジ４の凹部１６に位置させて、離脱用操作部となる各交換皿外縁８ｂのフランジ部２６に対する操作を許容する交換操作許容部として、当該周壁１１の上端から下方に向かう凹溝３２が形成される。この凹溝３２により、周壁１１上に重ね合わせて載せられる外縁８ｂのフランジ部２６下面が露出されることとなり、このようにフランジ部２６下面を露出させることによって、皿枠７内から交換皿８を離脱させる押し上げ操作が可能とされる。
【００２８】
換言すれば、交換皿外縁８ｂのフランジ部２６が重ね合わせて載せられる凹溝３２以外の周壁１１部分は、当該フランジ部２６下面を隠蔽していて、この隠蔽によって各交換皿８に対する交換のための押し上げ操作を阻止する交換操作阻止部となっている。
【００２９】
また、図８に示すように、容器本体３の周壁１１と皿枠７の環状壁部２１との間には、皿枠７の回転位置を割り出す割り出し手段３３が設けられる。この割り出し手段３３は、容器本体３前端位置の周壁１１内面に形成された制止凹部３４と、環状壁部２１にその周方向に沿って等間隔で、例えば交換皿８が上記８分割の寸法であれば８箇所に、当該環状壁部２１上端から下方に向かう左右一対の縦スリット（図示せず）によって皿枠７の径方向へ弾性変形自在に形成され、かつその上端に制止凹部３４と係合する制止凸部３５が形成された弾性ストッパ片３６とから構成される。
【００３０】
この弾性ストッパ片３６は、交換皿８と干渉しないように、環状壁部２１の他の部分に比べて内面が窪ませられて、薄肉に形成される。この割り出し手段３３は、皿枠７の回転操作に伴って、制止凹部３４と係合状態にある弾性ストッパ片３６の制止凸部３５が送り出されて離脱する一方、隣接する他の弾性ストッパ片３６が制止凹部３４へ送り込まれて係脱自在に係合する作用を繰り返し、この際の制止凹部３４と制止凸部３５の係合作用によって皿枠７を制止させるようになっている。
【００３１】
さらに、図９に示すように皿枠７には、収納部２３内への交換皿８の装着位置を位置決めする位置決め手段３７が設けられる。この位置決め手段３７は、皿枠７の底部２０にその周方向に沿って等間隔で、例えば交換皿８が上記８分割の寸法であれば８箇所に、収納部２３の径方向に沿って相当の長さで突出形成された直線状の凸条３８で構成される。他方、交換皿８が４分割の寸法であれば、当該交換皿８の底部中央には凸条３８に対応する凹条３９が１本形成される。
【００３２】
本実施形態のパレット式化粧料容器１の作用について説明する。交換皿８を交換するときには、蓋体６を開いた容器本体３内に外形輪郭が円形状に配列されている交換皿外縁８ｂのフランジ部２６を把持して回すことにより、皿枠７を軸部１２周りに回転させる。皿枠７を回転させると、これに伴って各交換皿８が周壁１１に沿って周回移動し、この際、凹溝３２に対応する位置に到達する度に、割り出し手段３３の割り出し作用によって回転操作に抵抗感が与えられて、交換皿８の位置割出しが行われる。そしてこの操作によって、交換を目的とする交換皿８を凹溝３２に移動させることができる。
【００３３】
交換皿８を取り外す際には、当該交換皿外縁８ｂのフランジ部２６を上方に押し上げることにより、弾性係合片３２および係止鍔部２５から離脱させて交換皿８を皿枠７、ひいては容器本体３から離脱させる。次いで、取り外した交換皿８に代わる交換皿８を容器本体３内に装着する際には、押し下げ操作により、係止鍔部２５に係止させながら弾性係合片３１に係合させて皿枠７内に保持させる。これにより、交換操作を終了することができる。
【００３４】
以上説明した本実施形態にかかるパレット式化粧料容器１にあっては、交換皿８は、皿枠７の内部に収納され、皿枠７を回転させて凹溝３２に移動させた後、その外縁８ｂのフランジ部２６を操作することによって容器本体３から取り外すことができ、この際、容器本体３の周壁１１に設けた凹溝３２を利用して容器本体３上方から交換皿８の取り出し操作を行うことができて、良好な脱着操作性を確保できると同時に、皿枠７を回転させて交換皿８を移動させることにより、複数の交換皿８を収納しながら、凹溝３２以外に、交換皿外縁８ｂのフランジ部２６を操作する、すなわち取り外し操作のためのスペースを確保する必要がなく、交換皿８を収納するためのスペースを容器本体３内に広く確保することができる。
【００３５】
また、容器本体３の周壁１１が各交換皿外縁８ｂのフランジ部２６に対する操作を阻止する機能を発揮するので、交換皿８が不意に脱落することなどを防止して、容器本体３内に安定的に保持することができる。また、交換皿８の交換操作を行う凹溝３２をヒンジ４に位置させて設けたので、蓋体６を閉じれば凹溝３２は隠蔽されることになり、化粧料容器１の外観を美麗に維持することができる。さらに、容器本体３と皿枠７との間に、皿枠７の回転位置を割り出す割り出し手段３３を設けたので、交換皿８を適切に凹溝３２に位置させて保持することができ、安定して脱着操作を行うことができる。
【００３６】
また、皿枠７に、交換皿８の皿枠７への装着位置を位置決めする位置決め手段３７を設けたので、交換皿８が皿枠７内で不必要に動くことを防止でき、交換皿８の装着操作などの円滑化を図ることができる。またこの位置決め手段３７は、容器本体３の周壁１１とも相俟って、交換皿８を皿枠７内に固定的に保持することができるので、必ずしも皿枠７の収納部２３を完全に埋めるように交換皿８を収納する必要はなく、交換皿８を装着しない空所があっても、交換皿８を安定的に収納することができる。
【００３７】
図１０には、上記実施形態の変形例が示されている。この変形例は、交換皿８の内縁８ａに、フランジ部２６に代えて、係止鍔部２５に係止される窪み部４０を形成したもので、このように構成すれば、ボス部２２の高さを交換皿８の上面高さ位置相当の低い高さに抑えることができる。
【００３８】
上記実施形態にあっては、外形輪郭が円形の容器本体３を例示して説明したが、矩形や多角形などの形態であってもよいことはもちろんである。
【００３９】
【発明の効果】
以上要するに、本発明にかかるパレット式化粧料容器にあっては、容器本体の周壁に設けた交換操作許容部を利用して交換皿の取り出し操作を行うことができて、良好な脱着操作性を確保することができると同時に、交換皿を皿枠の回転で移動させることにより、複数の交換皿を収納しながら、交換操作許容部以外に、交換皿の離脱用操作部を操作するためのスペースを確保する必要がなく、交換皿を収納するためのスペースを容器本体内に広く確保することができる。
【図面の簡単な説明】
【図１】本発明にかかるパレット式化粧料容器の好適な一実施形態を示す、交換皿の一収納状態の斜視図である。
【図２】図１に示したパレット式化粧料容器における交換皿の他の収納状態の斜視図である。
【図３】図１のパレット式化粧料容器の蓋体を開いた状態を示す平面図である。
【図４】図３中Ａ−Ａ線矢視断面図である。
【図５】図１のパレット式化粧料容器に用いられる交換皿の斜視図である。
【図６】図１のパレット式化粧料容器のヒンジ周辺の要部拡大斜視断面図である。
【図７】図１のパレット式化粧料容器における交換皿の交換操作を示す要部断面図である。
【図８】図１のパレット式化粧料容器に採用される割り出し手段を示す要部断面図である。
【図９】図１のパレット式化粧料容器に採用される位置決め手段を示す、容器本体の周方向に沿って展開した部分断面図である。
【図１０】本発明にかかるパレット式化粧料容器の変形例を示す、図４に対応する断面図である。
【符号の説明】
１  パレット式化粧料容器
３  容器本体                        ４  ヒンジ
７  皿枠                            ８  交換皿
１１  周壁                          １２  軸部
２５  係止鍔部                      ２６  フランジ部
２７  係合手段                      ３２  凹溝
３３  割り出し手段                  ３７  位置決め手段
【図１】
2004154285.tif 000003
【図２】
2004154285.tif 000004
【図３】
2004154285.tif 000005
【図４】
2004154285.tif 000006
【図５】
2004154285.tif 000007
【図６】
2004154285.tif 000008
【図７】
2004154285.tif 000009
【図８】
2004154285.tif 000010
【図９】
2004154285.tif 000011
【図１０】
2004154285.tif 000012